(57)【要約】【課題】補整機能を有するインナーとして使用できるキャミソールを提供することを目的とする。【解決手段】伸縮性素材によって形成された身頃を有し、キャミソールの前身頃襟刳りに伸縮性サポート布を設け、ウエスト下方の前身頃腹部及び後身頃腰部に、キャミソール裾線より脚部前中央又は脚部後中央に沿って上方に凸状に切り込まれた切裁部を有し、前身頃腹部には更にウエストラインより凹状に切り込まれた切裁部を設けた補整部片を接合してなる補整機能付キャミソールである。【選択図】図１
0003150485.tif 000002
【実用新案登録請求の範囲】
【請求項１】
伸縮性素材によって形成された前身頃、ストラップ部材、後身頃とよりなり、前身頃が深く刳られた襟刳り中央から襟刳りに沿い、前身頃上端と後身頃上端とを結合する左右ストラップ部材の接合部に至る伸縮性サポート布を有し、前身頃に、ウエストラインより脚部前中央線に向かって下方に切り込まれた凹状切り欠き部を二箇所に有する補整部片をウエストライン下の腹部に設けてなる補整機能付キャミソール。
【請求項２】
伸縮性素材によって形成された前身頃、ストラップ部材、後身頃とよりなり、前身頃が深く刳られた襟刳り中央から襟刳りに沿い、前見頃上端と後身頃上端とを結合する左右ストラップ部材の接合部に至る伸縮性サポート布を有し、前身頃及び後身頃に、裾端から脚部前中央線又は脚部後中央線に沿って上方に向かう凸状切り欠き部を二箇所ずつ有する補整部片を、前身頃腹部及び後身頃の腰部に設けてなる補整機能付キャミソール。
【請求項３】
伸縮性素材によって形成された前身頃、ストラップ部材、後身頃とよりなり、前身頃が深く刳られた襟刳り中央から襟刳りに沿い、前見頃上端と後身頃上端とを結合する左右ストラップ部材の接合部に至る伸縮性サポート布を有し、前身頃に、ウエストラインより脚部前中央線に向かって下方に切り込まれた凹状切り欠き部を二箇所に有する補整部片をウエストライン下の腹部に設け、前身頃及び後身頃に、裾端から脚部前中央線又は脚部後中央線に沿って上方に向かう凸状切り欠き部を二箇所ずつ有する補整部片を、前身頃腹部及び後身頃腰部に設けてなる補整機能付キャミソール。
【請求項４】
前記凹状切り欠き部又は凸状切り欠き部を設けた補整部片が伸縮性素材であって、前身頃腹部裏面又は後身頃腰部裏面に接合されている請求項１乃至３のいずれかに記載の補整機能付キャミソール。
【考案の詳細な説明】
【技術分野】
【０００１】
本考案は、バストの補整効果を高めると共に、身頃ウエスト下方にサポート部を設けたキャミソールに関する。
【背景技術】
【０００２】
キャミソール型の肌着において、バスト部からウエスト部の広い範囲において体形補整をする目的で種々の体形補整用インナーが考案されている。例えば、キャミソール本体の内側にバスト部からウエスト部の広い範囲に低伸縮かつ高弾力のメッシュ生地を縫着するもの（特許文献１）、ブラジャーをつけた上に着用し、バストアップと姿勢を良くするために伸縮性を有する糸により、ネックライン刳り下、前身頃の脇側部及び背中にＸ字状部分に緯編みにより編成された横方向に伸縮性の小さい部分を設けたインナー・ウエア（特許文献２）などがある。
【０００３】
更に、伸縮性を有する素材を用いて編地を変化させることで必要部位に着圧をかけ、テーピング効果により姿勢をコントロールするキャミソール型インアーウエア（特許文献３）も提案されている。しかしながら、編地の組織を変化させることにより、インナーウエアを形成する編地に部分的に伸縮性を加える手段は、編成が複雑であり製造工程が複雑となる。
【先行技術文献】
【特許文献】
【０００４】
【特許文献１】登録実用新案第３１４３２１２号公報
【特許文献２】特許第４０３２１００号公報
【特許文献３】特開２００７−１３８３３５号公報
【考案の概要】
【考案が解決しようとする課題】
【０００５】
一般に、キャミソールは、ブラジャーと同時に着用され、上衣の襟刳りも広いものが好まれる。この点を考慮すると、キャミソールの襟刳りは深くえぐったＵ型に形成されるのでブラジャーの有する効果を高める構造を襟刳りに有し、更に、直立した姿勢を保つために腰を押さえ保持する機能を有することが求められている。本考案は、ブラジャーによるバストアップ効果を高めると共に、更にウエスト下方の腹部、腰部においても着用感が良く衣服の外観に影響を及ぼさず、しかも歩行等の脚部の運動に支障がない腹部及び腰部の補整機能を有する補整部材を設け、補整機能を有するインナーとして使用できるキャミソールを提供することを目的とする。
【課題を解決するための手段】
【０００６】
本考案の補整機能つきキャミソールは、伸縮性素材によって形成された前身頃、ストラップ部材、後身頃とよりなり、前身頃が深く刳られた襟刳り中央から襟刳りに沿い、前見頃上端と後身頃上端とを結合する左右ストラップ部材の接合部に至る伸縮性サポート布を有し、キャミソールのウエスト下方の身頃腹部及び腰部に、キャミソール裾線より脚部前中央又は脚部後中央に沿って上方に凸状に切り込まれた切裁部をそれぞれ二箇所有する、ウエスト線を上端としキャミソール裾線に至る補整部片を接合してなる補整機能付キャミソールである。
【０００７】
前記切裁部を有する補整部片は、前身頃腹部、後身頃腰部の両方、又は前後身頃の片方に設けることが出来る。前身頃腹部には、上記した補整部片に加えて、更に脚部前中央に沿ってウエスト線を上端とし下方に凹状に切り込まれた切裁部を二箇所有した補整部片を設けることができる。ウエスト下方身頃地に接合してなる補整部片は、伸縮性素材で構成することが好ましい。切裁部を有する補整部片は、身頃の裏面のみでなくデザイン上の理由により、身頃表面に設けても良い。
【考案の効果】
【０００８】
本考案のキャミソール型肌着は、ブラジャーを併用した場合に、襟刳りを深く切り込んだ襟刳りのＵ字型部分に左右に配置した三日月状の伸縮性部分を設けることによってブラジャー下部からブラジャーに接してバストを持ち上げるバストアップ効果を有する。更に、直立した姿勢を保つために腹部及び腰を押さえ保持する機能を持たせるために、ウエスト下方の前後身頃において、着用感が良く腹部を無理なく押さえ、しかも歩行等の脚部の運動に支障がなく、腰部のふくらみを損なわないような切裁部を形成した伸縮性素材による補整部片を設けた。本考案のキャミソールは、補整機能を有するインナーとして使用できるキャミソールであり、しかも、着用した衣類の外観を損なわないキャミソールである。
【図面の簡単な説明】
【０００９】
【図１】図１は、本考案のキャミソールの具体例を示し、表身頃を内面から見た状態を示す図である。
【図２】図２は、図１に示したキャミソールの具体例において、裏身頃を内面から見た状態を示す図である。
【考案を実施するための形態】
【００１０】
キャミソール本体１の前身頃２及び後身頃３は、図１、図２に示すように、身体に沿うように伸縮性素材で形成される。尚、図１及び図２において、本考案キャミソールは構造説明のため、身頃の裏面を内面から見て示している。前身頃２及び後身頃３上端にはストラップ状部材４，４が結合されるが、ストラップ状部材４，４は、通常のキャミソールと同様のテープ状ストラップであっても良いが、肩上部５，５においてやや幅広であり、前身頃２及び後身頃３の上端６，６にそれぞれ接合される部分の巾が狭く形成されたストラップ状部材４，４として構成することが好ましい。ストラップ状部材４，４は、前身頃２及び後身頃３に使用した伸縮性素材を二重にして形成しても良い。ストラップ状部材４には、適宜部分に長さ調整具７，７、８，８を設ける。このような構成は、ストラップ状部材４，４の肩上における負荷を和らげることが出来る。
【００１１】
前身頃２には、ブラジャーを着用した際のブラジャーのバージスラインに沿うように深く切り込んだＵ字型襟刳り９を形成する。Ｕ字型襟刳り９には、襟刳り中央から左右に襟刳り９に沿って配置した三日月状のサポート布１０，１１を設ける。サポート布１０，１１は、縫着、接着など接合部分が厚くならぬように任意の手段で前身頃２のＵ字型襟刳り９に接合する。サポート布１０，１１は、適宜の伸縮性とブラジャーカップ部を支える剛性を有する素材であることが好ましい。サポート布１０，１１は、上記ストラップ状部材４，４と同様に身頃に使用した伸縮性素材の輪部分を上端にし、曲線状の折端部を襟刳り９に沿って縫着し、二重に形成することも可能である。このサポート布１０，１１はキャミソール本体１の下に着用したブラジャーのカップ部の下方のバージスライン付近に接することによりその伸縮性によってバストを押し上げる作用を有し、ブラジャーの機能をサポートするので、バストアップ効果を得ることが出来る。
【００１２】
前身頃裏面１２には、キャミソール本体１のウエストライン１３下方の前身頃腹部１４に補整部片１５を設ける。補整部片１５は、緊締力のある素材で構成され、切りっぱなし可能な伸縮性素材を用いることが好ましい。前身頃２には、両前脚中心部延長線に沿い前身頃２に切替線１６，１７を設けて、前身頃形状を身体に沿わせることが出来る。補整部片１５には、ウエストライン１３より前身頃裾端１８に向かって切替線１６，１７上に頂点を有する凹型切欠き部１９，２０を設ける。この切欠き部１９，２０は、補整部片１５による過度のウエストの締め付けを和らげる作用を有する。この凹型切欠き部１９，２０の形状は、切替線１６，１７上に頂点を有する凹型とされるが、その形状は左右対称である必要はなく、任意の巾と曲線を持って形成することができる。尚、以下に述べる切欠き部の形状についても、左右対称である必要はなく、任意の巾と曲線を持って形成することができることは言うまでもない。
【００１３】
更に、補整部片１５には、前身頃裾端１８より上方に向かい、切替線１６，１７上に頂点を有する凸型切欠き部２１，２２を設ける。この凸型切欠き部２１，２２は、歩行時の前脚の前方への蹴りだしに支障がないように形成したものである。図１の上記説明においては、補整部片１５には、ウエストライン１３より前身頃裾端１８に向かって凹型切欠き部１９，２０を設けているが、この凹型切欠き部１９，２０は設けずに、下方の凸型切欠き部２１，２２のみを設けた補整部片１５を前身頃２に設けることも出来る。
【００１４】
次に、キャミソール本体１の後身頃３について説明する。図２に示したように、後身頃裏地２３には、前身頃と同様にウエストライン１３下方の後身頃腰部２４に補整部片２５を設ける。補整部片２５は、緊締力のある素材で構成され、切りっぱなし可能な伸縮性素材を用いることが好ましい。後身頃３にも前身頃２と同様に、両後脚中心部延長線に沿い後身頃３の上方より後身頃裾端２６に向かって切替線２７、２８を設けて、後身頃形状を身体に沿わせることが出来る。後身頃３は、図からも明らかなように、後身頃３の後身頃裾端２６が下方に曲線状に突出し、後腰を覆うように前身頃裾端１８とは異なり、後身頃腰部丈が長くなるように形成される。
【００１５】
補整部片２５には、後身頃裾端２６より上方に向かい、切替線２７，２８上に頂点を有する凸型切欠き部２９，３０を設ける。この凸型切欠き部２９，３０は、臀部のふくらみを美しく保つ目的と共に、歩行時の後脚の動きに支障がないように形成したものである。補整部片１５及び補整部片２５は、形状が特異であり、デザインとしても好ましい形状であるので、前身頃及び後身頃裏地のみでなく、両身頃表地に接着してキャミソールの美観に寄与させることも可能である。
【００１６】
本考案のキャミソールには、上記のように襟刳りに設けた三日月状の伸縮性部分がバストを持ち上げるバストアップ効果を有すると共に、キャミソール腹部及び腰部には、身頃前後に切り欠き部を形成した伸縮性生地による補整部片を設けたので、適宜にウエスト部分を押さえると共に腹部の締め付けを調節し、腰部の外観を損なわず、脚部の歩行には支障のない補整用キャミソールとすることができる。
【符号の説明】
【００１７】
１  キャミソール本体
２  前身頃
３  後身頃
４  ストラップ状部材
５  肩上部
６  前身頃及び後身頃上端
７  長さ調整具
８  長さ調整具
９  Ｕ字型襟刳り
１０、１１  サポート布
１２  前身頃裏面
１３  ウエストライン
１４  前身頃腹部
１５  補整部片
１６、１７  切替線
１８  前身頃裾端
１９、２０  凹型切欠き部
２１、２２  凸型切欠き部
２３  後身頃裏地
２４  後身頃腰部
２５  補整部片
２６  後身頃裾端
２７、２８  切替線
２９、３０  凸型切欠き部 
【図１】
0003150485.tif 000003
【図２】
0003150485.tif 000004